(57)【特許請求の範囲】
【請求項１】
壁面に埋設されるスイッチボックスや壁面に開口された埋め込み穴に対応する取付枠に装着されるボックスと、ボックスに内蔵されボックスの前方を照らす照明ランプと、照明ランプを収納配置したボックスの前面開口部に被着されるランプセードと、商用交流電源により照明ランプに点灯電力を与えるとともに、充電電池を充電する電源回路と、商用交流電源の停電を検知すると充電電池からの電力により照明ランプを点灯させる停電時点灯回路と、商用交流電源の通電時の照明ランプの点滅を屈まずに操作できる位置に設置された外部スイッチのオンオフにより行う点滅手段と、前記ランプセードが取外されている状態を検知すると照明ランプの給電路を遮断するランプセード取外し検知手段と、前記ボックスの内部に収納配置され、操作された際には、ランプセード取外し検知手段により遮断される給電路に並列に接続されたスイッチ回路をオンするとともに、商用交流電源からの給電路を遮断することで停電状態を作り出す点検スイッチとを備えたことを特徴とするフットライト。
【請求項２】
設置場所の明るさを検知する明るさセンサと、明るさセンサの検知する明るさレベルが所定以下になったことを検知する検知手段と、商用電源が供給されている時に明るさレベルが所定レベル以下になったことを示す検知手段の検知出力が有れば照明ランプを点灯させ、明るさレベルが所定のレベルを越えると照明ランプを消灯させる点滅手段とを備えたことを特徴とする請求項１記載のフットライト。
【請求項３】
設置場所の明るさを検知する明るさセンサと、人体検知センサと、人体検知センサが人体検知出力を発生し且つ明るさセンサの検知する明るさレベルが所定以下になったとき検知出力を発生する検知手段と、商用電源が供給されている時に検知手段の検知出力が有れば照明ランプを点灯させ、検知出力が無ければ照明ランプを消灯させる点滅手段とを備えたことを特徴とする請求項１記載のフットライト。
【請求項４】
点滅手段は、外部スイッチにより、商用交流電源の通電時の点滅手段の動作状態を、照明ランプを消灯させる状態と、連続的に点灯させる状態と、検知手段の検知出力による自動点滅状態とに切換選択されることを特徴とする請求項２又は請求項３記載のフットライト。
【請求項５】
商用交流電源が接続されたサービスコンセントを併設したことを特徴とする請求項１又は２又は３又は４記載のフットライト。  
【発明の詳細な説明】
【０００１】
【発明の属する技術分野】
本発明は、フットライトに関するものである。
【０００２】
【従来の技術】
保安灯或いは常備灯と言われる照明器具がある。この照明器具はコンセントに着脱自在に接続し、通常時にはコンセントを通じて接続された商用交流電源により内蔵した充電電池を充電し、また内蔵の照明ランプを点灯させることができるものである。そして商用交流電源の停電を検知すると充電電池により内蔵照明ランプを点灯させる機能が備わっている。
【０００３】
【発明が解決しようとする課題】
ところで上記照明器具は、コンセントより取り外すことができるため、住宅の廊下や階段に取り付けた場合、はじめに通った人が外して使用すると、次に通る人は真っ暗で足元が見えず危険であり、しかもコンセントに接続する構成であるため、壁面からの出っ張りが多く、掃除の際に邪魔になったり、車椅子での通行で車輪が引っ掛かる心配があったりするという支障もある。
【０００４】
また常備灯を構成する照明器具に通常時フットライトとして使用する機能を設けても、取り外して懐中電灯として使用する為レンズで集光する必要があり、そのためフットライトとして適当な光の広がりを得ることができない問題や、電源を切ると停電と同じ状態になって自動点灯するため、普通のフットライトのように壁スイッチの電源入り切りによる点滅操作ができず、従来の常備灯（保安灯）にフットライト機能があっても器具に設けたスイッチしか点滅操作ができないので、特に年寄りには屈んでの操作となって操作性が悪いという問題がある。
【０００５】
本発明は上記問題点に鑑みて為されたもので、請求項１の発明の目的とするところは壁面より飛び出すことなく設置でき掃除や車椅子での通行に対して邪魔にならず、しかも常時・停電時の照明ランプの適切な光り方を持たせることができるフットライトを提供するにある。加えて、照明ランプの点滅操作を操作し易い高さに設置された外部スイッチにより行えるフットライトを提供するにある。また、ランプセードが外されたときにランプへの給電路を遮断でき、感電の恐れ無しに安全に照明ランプの交換ができるフットライトを提供するにある。さらに、充電電池の性能チェックができて停電時に本来の性能を発揮させ得るフットライトを提供するにある。
【０００６】
請求項２の発明の目的とするところは、請求項１の発明の目的に加えて、通常時において、周囲の明るさに応じて自動的に照明ランプを点滅させることができるフットライトを提供するにある。請求項３の発明の目的とするところは、請求項１の発明の目的に加えて、通常時において、周囲が暗く、且つ人が居る場合に照明ランプを自動点灯させることができるフットライトを提供するにある。
【０００７】
請求項４の発明の目的とするところは、請求項２又は３記載の発明の目的に加えて、自動と手動による照明ランプの点滅が選択できるフットライトを提供するにある。請求項５の発明の目的とするところは、請求項１又は２又は３又は４の発明の目的に加えて、廊下や階段で使用する掃除機等の電源を新たにコンセントを設けることなく確保できるフットライトを提供するにある。
【０００８】
【課題を解決するための手段】
上記目的を達成するために請求項１の発明では、壁面に埋設されるスイッチボックスや壁面に開口された埋め込み穴に対応する取付枠に装着されるボックスと、ボックスに内蔵されボックスの前方を照らす照明ランプと、照明ランプを収納配置したボックスの前面開口部に被着されるランプセードと、商用交流電源により照明ランプに点灯電力を与えるとともに、充電電池を充電する電源回路と、商用交流電源の停電を検知すると充電電池からの電力により照明ランプを点灯させる停電時点灯回路と、商用交流電源の通電時の照明ランプの点滅を屈まずに操作できる位置に設置された外部スイッチのオンオフにより行う点滅手段と、前記ランプセードが取外されている状態を検知すると照明ランプの給電路を遮断するランプセード取外し検知手段と、前記ボックスの内部に収納配置され、操作された際には、ランプセード取外し検知手段により遮断される給電路に並列に接続されたスイッチ回路をオンするとともに、商用交流電源からの給電路を遮断することで停電状態を作り出す点検スイッチとを備えたことを特徴とする。
【０００９】
請求項２の発明では、請求項１の発明において、設置場所の明るさを検知する明るさセンサと、明るさセンサの検知する明るさレベルが所定以下になったことを検知する検知手段と、商用電源が供給されている時に明るさレベルが所定レベル以下になったことを示す検知手段の検知出力が有れば照明ランプを点灯させ、明るさレベルが所定レベルを越えると照明ランプを消灯させる点滅手段とを備えたことを特徴とする。
【００１０】
請求項３の発明では、請求項１の発明において、設置場所の明るさを検知する明るさセンサと、人体検知センサと、人体検知センサが人体検知出力を発生し且つ明るさセンサの検知する明るさベレルが所定以下になったとき検知出力を発生する検知手段と、商用電源が供給されている時に検知手段の検知出力が有れば照明ランプを点灯させ、検知出力が無ければ照明ランプを消灯させる点滅手段とを備えたことを特徴とする。
【００１１】
請求項４の発明では、請求項２又は３の発明において、商用交流電源の通電時の点滅手段の動作状態を、照明ランプを消灯させる状態と、連続的に点灯させる状態と、検知手段の検知出力による自動点滅状態とに切換選択する外部のスイッチを付設したことを特徴とする。請求項５の発明では、請求項１又は２又は３又は４の発明において、商用交流電源が接続されたサービスコンセントを併設したことを特徴とする。
【００１２】
【発明の実施の形態】
以下、本発明の実施形態を図面を参照して説明する。
【００１３】
（実施形態１）
図１に示す本実施形態のフットスイッチの合成樹脂製のボックス１はＪＩＳで定められた大角形の配線器具を取り付ける２連形の取付枠２を一体装着したもので、取付枠２を用いて廊下、階段等の壁面（特に足元となる位置）に埋設されたスイッチボックス（図示せず）や壁面に設けた埋め込み穴（図示せず）に埋設するようになっている。
【００１４】
このボックス１は図示するように前面の開口部分にランプセード３が着脱自在に被着され、内部には図２に示す回路を構成する電子部品や、白熱電球のような照明ランプＬを装着するためのランプホルダー４、停電時の電源となる充電電池５、スライドスイッチからなる点検スイッチ６等を実装した回路基板７を収納配置するとともに、この回路基板７の前側に反射板８を収納配置する収納凹部１ａを設けている。つまり収納凹部１ａは照明ランプ収納部をも構成する。
【００１５】
照明ランプＬは反射板８に穿設してある挿入孔９より口金部を挿入してランプホルダー４に装着される。
【００１６】
反射板８は照明ランプＬの光を反射してランプセード３を通じて前方の所定範囲に光を照射するためのものであり、左下隅に形成した切欠８ａより点検スイッチ６の操作部を露出させ、また右側縁の切欠８ｂより、ボックス１の片側内壁面に沿うように設けたランプセード検知用スイッチ１０の駆動部１０ａを露出させている。従ってランプセード３を取り外した状態で点検スイッチ６の操作が可能となり、またランプセード３を被着した状態でランプセード３の裏面に突設してある突起１１がランプセード検知用スイッチ１０の駆動部１０ａの穴に入って穴内の駆動釦（図示せず）を押し駆動し、ランプセード３を取り外した状態でランプセード検知用スイッチ１０の駆動を解除するようになっている。
【００１７】
取付枠２は壁面に埋設されたスイッチボックス（図示せず）に取りつけるための取り孔１２や、壁パネル（図示せず）を挟むことにより取付枠２を壁面に開口した埋め込み穴に固定するための挟み金具（図示せず）を装着するための装着穴１３等を設けてある。
【００１８】
ランプセード３は光を透過することができる合成樹脂により形成されたもので、上記の突起１１以外に裏面にはボックス１の収納凹部１ａの前面開口部分に被着する際にボックス１に着脱自在に係止固定するための係止爪１４を一体突設してある。尚ボックス１の収納凹部１ａの内壁面には係止爪１４を係止するための係止孔１９を設けてある。
【００１９】
ボックス１の前面下部の右端部にはサービスコンセント１５の差し込み口を露設している。このサービスコンセント１５は本発明フットランプを廊下、階段等の壁面に配設した際に、廊下、階段で使用される掃除機等の電源コンセントを提供するためのもので、ボックス１の裏面に設けた図２に示す電源端子１７、１７に接続された商用交流電源ＡＣにボックス１内部で接続される。尚このサービスコンセント１５は無くても勿論良い。
【００２０】
プレート１６は、本発明フットランプをスイッチボックスや壁面の埋め込み穴に取り付けた後、取付枠２の前面部を被蔽するように着脱自在に取り付けるもので、中央の窓孔１６ａにはボックス１の前部を裏側より嵌合して前面に露出させる。
【００２１】
次に図２の回路構成について説明する。
【００２２】
電源回路２０は、ボックス１の裏面に設けた電源端子１７、１７に接続された商用交流電源ＡＣを整流平滑して所定の直流を得るもので、その直流により点検スイッチ６の常閉側接点６ａ側と、ダイオード２１を介して充電電池５を常時充電するとともに、点滅回路２２及びランプセード検知用スイッチ１０を介して照明ランプＬに点灯電力を供給するようになっている。
【００２３】
点滅回路２２は、ボックス１の裏面に設けた外部スイッチ接続端子２３、２３に接続された外部スイッチ（例えば壁面等に設けた壁スイッチ）２４のオン、オフに対応して照明ランプＬの給電路をオン、オフするスイッチ回路からなる。従って外部スイッチ２４がオンすると、電源回路２０→点検スイッチ６→点滅回路２２→照明ランプＬ→ランプセード検知用スイッチ１０→電源回路２０の経路で照明ランプＬは給電され点灯する。また外部スイッチ２４がオフすれば、点滅回路２２のオフ動作により給電路が遮断されて照明ランプＬは消灯する。尚外部スイッチ２４を操作し易い高さ（通常、約１１０ｃｍの高さ）に設置することにより、操作の度に屈む必要が無くなって操作性が向上する。
【００２４】
停電検知回路２５は、点検スイッチ６の常閉側接点６ａとグランドラインとの間の電圧の有無により商用交流電源ＡＣの停電を検知するもので、その検知出力を停電時点灯回路２６に与えるようになっている。
【００２５】
停電時点灯回路２６は充電電池５と照明ランプＬとの間に挿入され、停電検知回路２５が商用交流電源ＡＣが通電されていることを示す検知出力を発生しているときにはオフ状態となり、該検知出力が発生しなくなると、つまり停電状態を検知すると、充電電池５を電源としてオン動作し、充電電池５と照明ランプＬとの間を接続し、充電電池５→停電時点灯回路２６→照明ランプＬ→ランプセード検知用スイッチ１０→充電電池５の回路で照明ランプＬに給電し照明ランプＬを強制的に点灯させるのである。つまり停電を伴う地震、火事等の非常時には外部スイッチ２４がオフ状態であっても自動的に照明ランプＬを点灯させて足元の明かりを確保し、安全な避難を可能とする。
【００２６】
ランプセード検知用スイッチ１０はランプセード３がボックス１より取り外されたときにオフ動作して照明ランプＬの給電路を遮断するもので、感電の恐れを無くし、ランプ交換時の安全を確保する。
【００２７】
点検スイッチ６は充電電池５の性能チェック時に使用するもので、常開側接点６ｂ側に切り換えると、電源回路２０から充電電池５への充電経路及び点滅回路２２への給電路を遮断し、停電検知回路２５から見て停電状態を作りだす。従って、停電時と同様に停電時点灯回路２６が停電検知回路２５の検知出力を受けてオン動作する。点検スイッチ６を操作するためにはランプセード３をボックス１より取り外す必要があり、そのため操作時にはランプセード検知用スイッチ１０がオフとなっている。そこで本実施形態では、電源回路２０からの直流を電源としてオン動作するスイッチ回路からなる点検時点灯回路２７をランプセード検知用スイッチ１０と並列に接続しており、点検スイッチ６が常開側接点６ｂに切り換わると、該接点６ｂを通じて電源回路２０から点検時点灯回路２７に電源を供給してオン動作させてランプセード検知用スイッチ１０の両端を短絡するようになっている。そのため点検時スイッチ６の操作時には充電電池５→停電時点灯回路２６→照明ランプＬ→点検時点灯回路２７→充電電池５の経路で照明ランプＬに給電して照明ランプＬを点灯させることができ、そのため実際に負荷をかけた状態での充電電池５の性能チェックが行えることになる。
【００２８】
（実施形態２）
上記実施形態１では通常時の照明ランプＬの点滅を外部スイッチ２４によって行うようにしているが、本実施形態では、外部スイッチ２４の手動操作による点滅機能に加えて、周囲の明るさが所定レベル以下になると自動的に照明ランプＬを点灯させる自動点滅機能を追加したものである。
【００２９】
つまり図３に示すようにＣｄＳ等の受光素子からなる明るさセンサ２８と、この明るさセンサ２８の検知する明るさレベルが予め設定してある基準レベル以下なのかどうかを判別する明るさ判別回路２９からなる検知手段とを設けるとともに、３端子の外部スイッチ接続端子２３…を持ち、該外部スイッチ接続端子２３…に接続される３接点形の外部スイッチ２４の切換えにより、オフする「切」動作と、連続的にオンする「連続入」動作と、明るさ判別回路２９からの判別出力に基づく「自動」動作の３つの動作モードが選択されるスイッチ回路からなる点滅回路２２を用いている。
【００３０】
而して商用交流電源ＡＣが供給されている通常時において、外部スイッチ２４が「自動」に接続されている場合には、明るさセンサ２８が検出する明るさレベルが基準レベルを上回っている間、点滅回路２２はオフ状態にあって照明ランプＬへの給電路を遮断し、照明ランプＬを消灯させている。夜間になって明るさセンサ２８が検出する明るさレベルが基準レベル以下になったと明るさ判別回路２９が判別すると、その判別出力に基づいて点滅回路２２はオン動作して照明ランプＬの給電路をオンして照明ランプＬを点灯させる。
【００３１】
このようにして外部スイッチ２４が「自動」に接続されている場合には、周囲の明るさに対応して自動的に照明ランプＬを点灯或いは消灯させる。勿論「切」「連続入」に外部スイッチ２４を接続すれば、周囲の明るさに関係なく照明ランプＬを消灯、点灯させることができる。
【００３２】
尚停電時の動作、点検スイッチ６の操作、ランプセード検知用スイッチ１０の動作は実施形態１と同じであるため、図３において実施形態１の回路構成要素と同じ動作を為す回路構成要素に同じ番号、記号を付して説明を省略する。
【００３３】
また本実施形態の構造は、図４に示すように３連用の取付枠２に対応したボックス１を用いたもので、ボックス１は、左側にランプホルダー４、充電電池５、点検スイッチ６、ランプセード検知用スイッチ１０等を実装した回路基板７を収納配置するとともに反射板８を収納配置し、前面の開口部分にランプセード３を着脱自在に被着する収納凹部１ａを設け、右側にはボックス１内に設けた明るさセンサ２８の受光面と、サービスコンセント１５の差し込み口とを露出させている前壁部１ｂを設けてある。
【００３４】
点検スイッチ６の操作部とランプセード検知用スイッチ１０の駆動部１０ａは収納凹部１ａの右上隅に設けてあり、これら操作部及び駆動部１０ａに対応するように反射板８に切欠８ｃを設け、またランプセード３の裏面に駆動部１０ａの穴に挿入されランプセード検知用スイッチ１０を駆動する突起１１を設けてある。
【００３５】
尚その他の構成は基本的には実施形態１と同じであるため、同じ役割を持つ構成要素には同じ番号、記号を付して説明を省略する。
【００３６】
またサービスコンセント１５を設けない場合には図５に示すように実施形態１と同様な２連用の取付枠２に対応したボックス１を用いても良い。この場合ボックス１の前面下部に明るさセンサ２８の受光面を露出させている。この例の場合もその他の構成は基本的には実施形態１と同じであるため、同じ役割を持つ構成要素には同じ番号、記号を付して説明を省略する。
【００３７】
（実施形態３）
実施形態２では、外部スイッチ２４を「自動」に接続した時には明るさセンサ２８の検知する明るさレベルに対応して照明ランプＬを点灯、消灯させるようにしているが、本実施形態では図６に示すように焦電素子等の熱線センサからなる人体センサ３０を明るさセンサ２８に加えて設け、人体センサ３０が人を検知している時で且つ明るさセンサ２８の検出する明るさレベルが基準レベルを下回っている時に照明ランプＬを点灯させるようにしたものである。
【００３８】
つまり検知回路３１は実施形態２の明るさ判別回路と同様な明るさ判別機能と人体センサ３０の検出出力により人の存否を判別する機能とを持ち、人体センサ３０が人を検知している時で且つ明るさセンサ２８の検出する明るさレベルが基準レベルを下回っている時に検知出力を点滅回路２２へ出力するようになっている。
【００３９】
点滅回路２２は、外部スイッチ接続端子２３…に接続してある外部スイッチ２４が「切」にあるときにはオフ動作し、「連続入」にあるときにはオン動作し、「自動」にあるときには検知回路３１の検知出力が発生しているときにのみオン動作するスイッチ回路から構成される。
【００４０】
而して外部スイッチ２４を「自動」に接続して場合には、周囲の明るさと人の存否に対応して自動的に照明ランプＬを点灯或いは消灯させることができる。また「切」或いは「連続入」に外部スイッチ２４を投入することにより、周囲の明るさに関係なく照明ランプＬを消灯或いは、点灯させることができる。
【００４１】
尚停電時の動作、点検スイッチ６の操作、ランプセード検知用スイッチ１０の動作は実施形態１と同じであるため、図６において実施形態１の回路構成要素と同じ動作を為す回路構成要素には同じ番号、記号を付して説明を省略する。
【００４２】
また本実施形態の構造は、図７に示すように実施形態２の図４の例と同じように３連用の取付枠２に対応したボックス１を用いたもので、人体センサ３０の熱線受光部をボックス１の前面壁部１ｂの上側に露設している点で実施形態２の図４の例と相違する。尚その他の構成は基本的には実施形態２の図４の例と同じであるため、同じ役割を持つ構成要素には同じ番号、記号を付して説明を省略する。
【００４３】
またサービスコンセント１５を設けない場合には図８に示すように実施形態２の図５の例と同様な２連用の取付枠２に対応したボックス１を用いても良い。この場合ボックス１の前面下部の中央に人体センサ３０の熱線受光部を露出させている。尚その他の構成は基本的には実施形態２の図５の例と同じであるため、同じ役割を持つ構成には同じ番号、記号を付して説明は省略する。
【００４４】
尚各実施形態１乃至３における外部スイッチ２４を、複数のフットライトに対応させれば、複数のフットライトを纏めて制御すること可能となる。
【００４５】
【発明の効果】
請求項１の発明は、壁面に埋設されるスイッチボックスや壁面に開口された埋め込み穴に対応する取付枠に装着されるボックスと、ボックスに内蔵されボックスの前方を照らす照明ランプと、照明ランプを収納配置したボックスの前面開口部に被着されるランプセードと、商用交流電源により照明ランプに点灯電力を与えるとともに、充電電池を充電する電源回路と、商用交流電源の停電を検知すると充電電池からの電力により照明ランプを点灯させる停電時点灯回路と、商用交流電源の通電時の照明ランプの点滅を屈まずに操作できる位置に設置された外部スイッチのオンオフにより行う点滅手段と、前記ランプセードが取外されている状態を検知すると照明ランプの給電路を遮断するランプセード取外し検知手段と、前記ボックスの内部に収納配置され、操作された際には、ランプセード取外し検知手段により遮断される給電路に並列に接続されたスイッチ回路をオンするとともに、商用交流電源からの給電路を遮断することで停電状態を作り出す点検スイッチとを備えたので、壁面より飛び出すことなく設置でき掃除や車椅子での通行に対して邪魔にならず、しかも常設形であるため懐中電灯としての使用を考慮する必要がないため、常時・停電時の照明ランプの適切な光り方を持たせるように光学的に設計することができるという効果がある。しかも、外部スイッチの操作の度に屈む必要が無くなって操作性を向上することができる。加えて、ランプセードが外されたときに照明ランプへの給電路を遮断でき、そのためランプ交換時の感電の恐れが無くなり、安全に照明ランプの交換ができるという効果がある。さらに、停電時に本来の性能を発揮できるように事前に充電電池の性能チェックが行えるという効果がある。
【００４６】
請求項２の発明は、請求項１の発明において、設置場所の明るさを検知する明るさセンサと、明るさセンサの検知する明るさレベルが所定以下になったことを検知する検知手段と、商用電源が供給されている時に明るさレベルが所定レベル以下になったことを示す検知手段の検知出力が有れば照明ランプを点灯させ、明るさレベルが所定レベルを越えると照明ランプを消灯させる点滅手段とを備えたので、通常時において、周囲の明るさに応じて照明ランプを自動的に点滅させることができ、そのため付け忘れ防止によって足元の安全確保が図れ、また消し忘れ防止によって無駄な照明を無くして省エネルギが図れるという効果がある。
【００４７】
請求項３の発明は、請求項１の発明において、設置場所の明るさを検知する明るさセンサと、人体検知センサと、人体検知センサが人体検知出力を発生し且つ明るさセンサの検知する明るさベレルが所定以下になったとき検知出力を発生する検知手段と、商用電源が供給されている時に検知手段の検知出力が有れば照明ランプを点灯させ、検知出力が無ければ照明ランプを消灯させる点滅手段とを備えたので、通常時において、周囲が暗く、且つ人が居る場合のみ自動的に照明ランプを点灯させことができるので、一層無駄な照明を無くすことができて、省エネルギ化が図れるという効果がある。
【００４８】
請求項４の発明は、請求項２又は３の発明において、商用交流電源の通電時の点滅手段の動作状態を、照明ランプを消灯させる状態と、連続的に点灯させる状態と、検知手段の検知出力による自動点滅状態とに切換選択する外部のスイッチを付設したので、自動と、手動による照明ランプの点滅が選択できるという効果がある。
【００４９】
請求項５の発明では、請求項１又は２又は３又は４の発明において、商用交流電源が接続されたサービスコンセントを併設したので、廊下や階段で使用する掃除機等の電源を新たにコンセントを設けることなく確保できるという効果がある。
【図面の簡単な説明】
【図１】  本発明の実施形態１の分解斜視図である。
【図２】  同上の回路構成図である。
【図３】  本発明の実施形態２の回路構成図である。
【図４】  同上の構造の一例を示す分解斜視図である。
【図５】  同上の構造の別の例を示す分解斜視図である。
【図６】  本発明の実施形態３の回路構成図である。
【図７】  同上の構造の一例を示す分解斜視図である。
【図８】  同上の構造の別の例を示す分解斜視図である。
【符号の説明】
Ｌ    照明ランプ
１    ボックス
１ａ  収納凹部
２    取付枠
３    ランプセード
４    ランプホルダー
５    充電電池
８    反射板
【図１】
0003845881.tif 000002
【図２】
0003845881.tif 000003
【図３】
0003845881.tif 000004
【図４】
0003845881.tif 000005
【図５】
0003845881.tif 000006
【図６】
0003845881.tif 000007
【図７】
0003845881.tif 000008
【図８】
0003845881.tif 000009